【手続補正書】
【提出日】平成19年6月27日(2007.6.27)
【手続補正１】
【補正対象書類名】明細書
【補正対象項目名】発明の名称
【補正方法】変更
【補正の内容】
【発明の名称】シート処理装置
【手続補正２】
【補正対象書類名】明細書
【補正対象項目名】特許請求の範囲
【補正方法】変更
【補正の内容】
【特許請求の範囲】
【請求項１】  搬送されたシートの穿孔処理を行うシート処理装置であって、
前記シートを穿孔する穿孔手段と、
該穿孔手段とともに移動し、前記搬送されたシートの幅方向の端部を検知するシート端部検知手段と、
前記穿孔手段および前記シート端部検知手段を前記シートの搬送方向に対して直交する幅方向に移動させる移動手段と、
前記搬送されるシートを検知するシート検知手段と、
前記シート検知手段によりシートの先端が検知されてから前記シートが所定距離を搬送された後に前記移動手段による前記穿孔手段および前記シート端部検知手段の移動を開始する制御手段とを備え、
前記制御手段は、前記シートの搬送方向の長さに応じて前記所定距離を変更することを特徴とするシート処理装置。
【請求項２】  前記制御手段は、前記シート検知手段によって前記シートの先端が検出されてからのシートの移動時間および前記シート搬送速度により、前記シートの移動する距離を検出することを特徴とする請求項１記載のシート処理装置。
【請求項３】  シートを搬送する搬送モータを更に備え、
前記制御手段は、前記シート検知手段によって前記シートの先端が検出されてからの前記搬送モータのクロックを計数し、該計数値に応じた前記シートの移動時間に基づいて前記シートの移動量を検出することを特徴とする請求項２記載のシート処理装置。
【請求項４】  搬送されたシートの穿孔処理を行うシート処理装置であって、
前記シートを穿孔する穿孔手段と、
該穿孔手段とともに移動し、前記搬送されたシートの幅方向の端部を検知するシート端部検知手段と、
前記穿孔手段および前記シート端部検知手段を前記シートの搬送方向に対して直交する幅方向に移動させる移動手段と、
前記搬送されるシートを検知するシート検知手段と、
前記シート検知手段によりシートの搬送方向の端部が検知されてから前記シートの後端と前記シート端部検知手段との搬送方向における距離が所定距離になると前記移動手段による前記穿孔手段および前記シート端部検知手段の移動を開始する制御手段とを備えることを特徴とするシート処理装置。
【請求項５】  前記所定距離は、穿孔処理可能な搬送方向のシートの最小長さであることを特徴とする請求項４記載のシート処理装置。
【請求項６】  前記シート端部検知センサと前記シート検知センサとのシート搬送方向の距離が前記穿孔処理可能な搬送方向のシートの最小長さ以上である場合における前記搬送方向のシート端部はシートの先端であり、前記シート端部検知センサと前記シート検知センサとのシート搬送方向の距離が前記穿孔処理可能な搬送方向のシートの最小長さ未満である場合における前記搬送方向のシート端部はシートの後端であることを特徴とする請求項５記載のシート処理装置。
【手続補正３】
【補正対象書類名】明細書
【補正対象項目名】００１１
【補正方法】変更
【補正の内容】
【００１１】
上記目的を達成するために、本発明の請求項１に記載のシート処理装置は、搬送されたシートの穿孔処理を行うシート処理装置であって、前記シートを穿孔する穿孔手段と、該穿孔手段とともに移動し、前記搬送されたシートの幅方向の端部を検知するシート端部検知手段と、前記穿孔手段および前記シート端部検知手段を前記シートの搬送方向に対して直交する幅方向に移動させる移動手段と、前記搬送されるシートを検知するシート検知手段と、前記シート検知手段によりシートの先端が検知されてから前記シートが所定距離を搬送された後に前記移動手段による前記穿孔手段および前記シート端部検知手段の移動を開始する制御手段とを備え、前記制御手段は、前記シートの搬送方向の長さに応じて前記所定距離を変更することを特徴とする。
【手続補正４】
【補正対象書類名】明細書
【補正対象項目名】００１２
【補正方法】変更
【補正の内容】
【００１２】
請求項２に記載のシート処理装置では、請求項１に記載のシート処理装置において、前記制御手段は、前記シート検知手段によって前記シートの先端が検出されてからのシートの移動時間および前記シート搬送速度により、前記シートの移動する距離を検出することを特徴とする。
【手続補正５】
【補正対象書類名】明細書
【補正対象項目名】００１３
【補正方法】変更
【補正の内容】
【００１３】
請求項３に記載のシート処理装置では、請求項２に記載のシート処理装置において、シートを搬送する搬送モータを更に備え、前記制御手段は、前記シート検知手段によって前記シートの先端が検出されてからの前記搬送モータのクロックを計数し、該計数値に応じた前記シートの移動時間に基づいて前記シートの移動量を検出することを特徴とする。
【手続補正６】
【補正対象書類名】明細書
【補正対象項目名】００１４
【補正方法】変更
【補正の内容】
【００１４】
上記目的を達成するために、本発明の請求項４に記載のシート処理装置では、前搬送されたシートの穿孔処理を行うシート処理装置であって、前記シートを穿孔する穿孔手段と、該穿孔手段とともに移動し、前記搬送されたシートの幅方向の端部を検知するシート端部検知手段と、前記穿孔手段および前記シート端部検知手段を前記シートの搬送方向に対して直交する幅方向に移動させる移動手段と、前記搬送されるシートを検知するシート検知手段と、前記シート検知手段によりシートの搬送方向の端部が検知されてから前記シートの後端と前記シート端部検知手段との搬送方向における距離が所定距離になると前記移動手段による前記穿孔手段および前記シート端部検知手段の移動を開始する制御手段とを備えることを特徴とする。
【手続補正７】
【補正対象書類名】明細書
【補正対象項目名】００１５
【補正方法】変更
【補正の内容】
【００１５】
請求項５に記載のシート処理装置では、請求項４に記載のシート処理装置において、前記所定距離は、穿孔処理可能な搬送方向のシートの最小長さであることを特徴とする。
【手続補正８】
【補正対象書類名】明細書
【補正対象項目名】００１６
【補正方法】変更
【補正の内容】
【００１６】
請求項６に記載のシート処理装置では、請求項５に記載のシート処理装置において、前記シート端部検知センサと前記シート検知センサとのシート搬送方向の距離が前記穿孔処理可能な搬送方向のシートの最小長さ以上である場合における前記搬送方向のシート端部はシートの先端であり、前記シート端部検知センサと前記シート検知センサとのシート搬送方向の距離が前記穿孔処理可能な搬送方向のシートの最小長さ未満である場合における前記搬送方向のシート端部はシートの後端であることを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】